(57)【特許請求の範囲】
【請求項１】
内容液を収容する容器本体と、該容器本体の口首部に装着される泡吐出器とからなり、該泡吐出器は、ピストン部と接続する往復動可能なピストンヘッドを備えており、該ピストンヘッドが押し込まれることにより、加圧されたシリンダ部の小径の液導入室から混合室に内容液を送る第１流路と、加圧されたシリンダ部の大径の空気室から前記混合室に空気を送る第２流路とを開放し、前記混合室に送られた前記内容液と前記空気とを前記混合室から吐出口に至る発泡流路において混合し発泡させて吐出する泡吐出容器であって、
前記ピストン部は、前記シリンダ部の前記空気室の中央部分を貫いて下端部分が前記液導入室の内周面に沿って摺動する筒状ピストン部材と、該筒状ピストン部材から径方向外側に張り出して設けられて前記空気室の内周面に沿って摺動するエアピストン部材とを含んで構成されており、
且つ前記泡吐出器は、前記空気室の底部周縁部を前記容器本体の前記口首部の上方に配置すると共に、前記空気室の外周面を前記口首部の外周面に沿った上方に配置して、前記空気室を前記口首部の外側に設けた状態で、前記口首部に一体として装着されており、
前記空気室の下部の外周面に雄ネジ部が形成されており、該空気室の雄ネジ部と、前記口首部の外周面に形成された雄ネジ部との双方に螺合する雌ネジ部が内周面に形成された接合スリーブ部材を介して、前記泡吐出器が前記口首部に一体として装着されている泡吐出容器。
【発明の詳細な説明】
【技術分野】
【０００１】
本発明は、泡吐出容器に関し、特に、内容液を収容する容器本体と、容器本体の口首部に装着される泡吐出器とからなり、収容された内容液を空気と混合することにより泡状にして吐出する泡吐出容器に関する。
【背景技術】
【０００２】
例えば液状の洗浄剤や毛髪剤等を収容し、容器を置いたままの状態でポンプヘッドを押圧操作することにより、内容液を泡状にして吐出させるポンプフォーマー容器等の泡吐出容器が種々開発されている。このような泡吐出容器では、容器本体の口首部に、内容液を空気と混合することにより泡状にして吐出する泡吐出器が装着されている。泡吐出器は、例えば容器本体の口首部に装着されるベースキャップ部に、内容液の吸引、加圧、排出を行うピストンと、空気の吸引、加圧、排出を行うピストンとをそれぞれ同心状の直列配置にして組み入れた単一のシリンダ部からなるポンプが設けられている。そして、ベースキャップ部の上方に突出するポンプヘッドの押し込みによりポンプの各ピストンを作動させ、内容液と空気をそれぞれ各シリンダ部内で加圧、排出して合流空間で相互に混合し、メッシュリング等の泡生成部材を通過させることで泡状にして内容液を外部に吐出させる構造となっている（例えば、特許文献１参照）。
【０００３】
また、ポンプのシリンダ部を構成する空気室の上方部分を容器本体の口首部よりも上方に配置することで、空気室の外周面にポンプヘッドのスカート状壁の内周壁を摺接させながら、ポンプヘッドを上下に往復動させるようにした泡吐出容器も開発されている（例えば、特許文献２参照）。
【先行技術文献】
【特許文献】
【０００４】
【特許文献１】特開２００５−１９３９７２号公報
【特許文献２】特開２００８−１４２６０８号公報
【発明の概要】
【発明が解決しようとする課題】
【０００５】
一方、上述のような従来の泡吐出容器では、ポンプヘッドへの１回の押し込み操作による泡状の内容液の吐出量が少ないことから、使用者は、泡状の内容液を多量に使用したい場合には、押し込み操作を複数回繰り返して、所望の量の内容液を取り出す必要がある。
【０００６】
これに対して、近年、泡吐出容器についても、様々な使用形態が要望されるようになっており、ポンプヘッドへの１回の押し込み操作によって、出来るだけ多くの泡状の内容液を吐出できるようにすることが検討されている。
【０００７】
泡吐出器のシリンダ部における空気室と液室の容積を増やすことで、１回の押し込み操作によって多量の内容液を泡状にして吐出させることが可能になるが、従来の泡吐出容器では、シリンダ部の空気室は、例えば容器本体の口首部に装着されるベースキャップ部を介して、少なくともその一部が口首部の内側に配置されるものであるため、空気室の容積を増やした場合、口首部の口径が過大になって容器本体の大きさや樹脂量が増加する。また、容器を把持した状態で使用する際には、容器本体が大き過ぎると把持しにくくなって取り扱いが不便になる。
【０００８】
本発明は、シリンダ部の空気室の容積を増やした場合でも、口首部の口径が過大にならないようにして、容器本体の大きさや樹脂量を抑制できると共に、把持した際の取り扱い易さを向上させることのできる泡吐出容器を提供することを目的とする。
【課題を解決するための手段】
【０００９】
本発明は、内容液を収容する容器本体と、該容器本体の口首部に装着される泡吐出器とからなり、該泡吐出器は、ピストン部と接続する往復動可能なピストンヘッドを備えており、該ピストンヘッドが押し込まれることにより、加圧されたシリンダ部の小径の液導入室から混合室に内容液を送る第１流路と、加圧されたシリンダ部の大径の空気室から前記混合室に空気を送る第２流路とを開放し、前記混合室に送られた前記内容液と前記空気とを前記混合室から吐出口に至る発泡流路において混合し発泡させて吐出する泡吐出容器であって、前記ピストン部は、前記シリンダ部の前記空気室の中央部分を貫いて下端部分が前記液導入室の内周面に沿って摺動する筒状ピストン部材と、該筒状ピストン部材から径方向外側に張り出して設けられて前記空気室の内周面に沿って摺動するエアピストン部材とを含んで構成されており、且つ前記泡吐出器は、前記空気室の底部周縁部を前記容器本体の前記口首部の上方に配置すると共に、前記空気室の外周面を前記口首部の外周面に沿った上方に配置して、前記空気室を前記口首部の外側に設けた状態で、前記口首部に一体として装着されており、前記空気室の下部の外周面に雄ネジ部が形成されており、該空気室の雄ネジ部と、前記口首部の外周面に形成された雄ネジ部との双方に螺合する雌ネジ部が内周面に形成された接合スリーブ部材を介して、前記泡吐出器が前記口首部に一体として装着されている泡吐出容器を提供することにより、上記目的を達成したものである。
【発明の効果】
【００１０】
本発明の泡吐出容器によれば、シリンダ部の空気室の容積を増やした場合でも、口首部の口径が過大にならないようにして、容器本体の大きさや樹脂量を抑制できると共に、把持した際の取り扱い易さを向上させることができる。
【図面の簡単な説明】
【００１１】
【図１】本発明の好ましい一実施形態に係る泡吐出容器の構成を説明する縦断面図である。
【図２】本発明の好ましい一実施形態に係る泡吐出容器を用いた毛髪化粧キットの説明図である。
【発明を実施するための形態】
【００１２】
図１に示す本発明の好ましい一実施形態に係る泡吐出容器１０は、いわゆるポンプフォーマー容器であって、従来のポンプフォーマー容器と同様に、容器本体１１の口首部１２に装着された泡吐出器（ポンプフォーマー）１３のピストンヘッド（ポンプヘッド）１４への押し込み操作によって、内容液を空気と混合することにより泡状にして吐出する機能を備える。また、本実施形態の泡吐出容器１０は、アルカリ剤を含有する第１剤と、過酸化水素を含有する第２剤とを混合させた混合液を発泡させて用いる、図２に示すような毛髪染毛用又は毛髪脱色用のキットの構成部品として用いられる。
【００１３】
すなわち、毛髪染毛用又は毛髪脱色用のキットは、第１剤が収容された第１容器３０と、第２剤が収容された第２容器３１と、ポンプフォーマーである泡吐出器１３と、内周面に雌ネジ部が形成された接合スリーブ部材２６とを含んで構成されるものであり、第２容器３１の容器本体は、本実施形態の泡吐出容器１０の容器本体１１を兼ねるようになっている。
【００１４】
そして、毛髪染毛用又は毛髪脱色用のキットを用いて毛髪の染毛や脱色を行う際には、第１容器３０の蓋体３０ａを取り外すと共に、第２容器３１の蓋体３１ａを取り外して、第１容器３０に収容された第１剤を、第２剤が収容された第２容器３１の容器本体１１に注ぎ入れる。また、容器本体１１の口首部１２に、接合スリーブ部材２６を介して泡吐出器１３を装着することで、図１に示すように、本実施形態の泡吐出容器１０を形成する。しかる後に、形成した泡吐出容器１０を把持して、例えば試験管を振るように左右に軽く振ったり、上下に激しく振ったり、或いは略正立状態から倒立ないし横倒し状態とし、再度略正立状態に戻す操作を繰り返す方法などによって、容器本体１１の内部で第１剤と第２剤との混合を促進する。第１剤と第２剤とが十分に混合されて混合液が形成されたら、泡吐出容器１０を把持した状態で、或いは泡吐出容器１０を置いたままの状態で、泡吐出器１３のピストンヘッド１４を押し込む操作を行うことにより、内容液である毛髪染毛用又は毛髪脱色用の混合液を、泡状にして所定量吐出させる。
【００１５】
ここで、毛髪染毛用又は毛髪脱色用の混合液を泡状にして吐出させて毛髪の染毛や脱色を行うには、従来のポンプフォーマー容器よりも、一度の押し込み操作で多量の混合液を吐出させることが好ましい。一度の押し込み操作で多量の混合液を泡状にして吐出させるには、混合室１９に送り出される空気がストックされるシリンダ部１６の空気室１８の容量を大きくする必要があるが、空気室１８の容量を大きくすると、空気室が吊り下げられる口首部の口径や容器本体の大きさが過大になることで、樹脂量が増大したり、容器を把持し難くなって、第１剤と第２剤とを混合するための操作や、ピストンヘッドを押し込む操作を行い難くなる。本実施形態の泡吐出容器１０は、簡易な構成によって、空気室１８を容量を大きくした場合でも、口首部１２の口径や容器本体１１の大きさが過大にならないようにして、樹脂量を抑制すると共に、容器１０を把持し易くする機能を備える。
【００１６】
本実施形態の泡吐出容器１０は、図１に示すように、内容液を収容する容器本体１１と、容器本体１１の口首部１２に取り付けられる泡吐出器１３とからなり、泡吐出器１３は、ピストン部１５と接続する往復動可能なピストンヘッド１４を備えており、ピストンヘッド１４が押し込まれることにより、加圧されたシリンダ部１６の小径の液導入室１７から混合室１９に内容液（第１剤と第２剤との混合液）を送る第１流路２０と、加圧されたシリンダ部１６の大径の空気室１８から混合室１９に空気を送る第２流路２１とを開放し、混合室１９に送られた内容液（第１剤と第２剤との混合液）と空気とを混合室１９から吐出口１４ｃに至る発泡流路２３において混合し発泡させて吐出する容器である。
【００１７】
また、本実施形態の泡吐出容器１０は、ピストン部１５が、シリンダ部１６の空気室１８の中央部分を貫いて下端部分が液導入室１７の内周面に沿って摺動する筒状ピストン部材２４と、筒状ピストン部材２４から径方向外側に張り出して設けられて空気室１８の内周面に沿って摺動するエアピストン部材２５とを含んで構成されており、且つ泡吐出器１３は、空気室１８の底部周縁部１８ａを容器本体１１の口首部１２の上方に配置すると共に、空気室１８の外周面１８ｂを口首部１２の外周面１２ｂに沿った上方に配置して、空気室１８の全体を口首部１２の外側に設けた状態で、口首部１２の上方に一体として取り付けられている。
【００１８】
さらに、本実施形態では、空気室１８の下部の外周面１８ｂに雄ネジ部１８ｃが形成されており、この空気室１８の雄ネジ部１８ｃと、口首部１２の外周面１２ｂに形成された雄ネジ部１２ｃとの双方に螺合する雌ネジ部２６ｃが内周面に形成された接合スリーブ部材２６を介して、泡吐出器１３が口首部１２に一体として装着されている。
【００１９】
本実施形態では、容器本体１１は、ボトル形状のプラスチック製の成形品であって、例えば有底円筒形状の胴部１１ａと、胴部１１ａの上端部から上方に向けてテーパー面状に縮径して設けられた肩部１１ｂと、肩部１１ｂの上端部から上方に向けて円筒状に突出して設けられた口首部１２とからなる。胴部１１ａは、手で把持し易い外径として、例えば４０〜８０ｍｍ程度の外径を有している。口首部１２は、胴部１１ａの外径より小さな、例えば２５〜６５ｍｍ程度の外径を有しており、口首部１２の外周面１２ｂには、泡吐出器１３を装着させるための雄ネジ部１２ｃが設けられている。
【００２０】
泡吐出器１３は、内容液の吸引、加圧、排出を行う筒状ピストン部材２４と、空気の吸引、加圧、排出を行うエアピストン部材２５をそれぞれ同心状の直列配置にして組み入れた単一のシリンダ部１６を含むポンプ装置２７を有する。ポンプ装置２７は、上部に配置される大径の空気室１８と、この空気室１８の底部中央部分から連続して下方に延設する小径の液導入室１７とからなるシリンダ部１６と、液導入室１７の内周面に沿って摺動する筒状ピストン部材２４と、この筒状ピストン部材２４から径方向外側に張り出して設けられて空気室１８の内周面に沿って摺動するエアピストン部材２５とからなるピストン部１５とを備える。
【００２１】
また、ポンプ装置２７には、略有底円筒形状の空気室１８の上部を覆って天面ベース部２８が設けられており、この天面ベース部２８の上面中央部分から上方に突出して円筒状のガイドステム２９が立設している。このガイドステム２９に、ピストンヘッド１４の中空パイプ部１４ａが摺動可能に挿入されることで、ピストンヘッド１４が、そのヘッド本体部１４ｂをポンプ装置２７の上方に配置した状態で、天面ベース部２８に対し上下に往復動可能に設けられる。ピストンヘッド１４は、中空パイプ部１４ａの下端部にポンプ装置２７の筒状ピストン部材２４の上端部が嵌合連結されることで、当該筒状ピストン部材２４を介在させて、シリンダ部１６の液導入室１７に設けられたスプリング部材３２の作用によって上方に付勢される。
【００２２】
本実施形態では、スプリング部材３２の付勢力に抗してピストンヘッド１４を下方に押し下げることにより、ポンプ装置２７の筒状ピストン部材２４及びエアピストン部材２５も同時に押し下げられ、ボール弁２０ａが上方に移動して、第１流路２０が開放される。これらによって、液導入室１７と連通する筒状ピストン部材２４の内部の液室３３から、内容液が中空パイプ１４ａ内の発泡流路２３に向けて加圧、排出される。また筒状ピストン部材２４とエアピストン部材２５との接合部分及び中空パイプ１４ａと筒状ピストン部材２５との嵌合部分に沿って形成された空気流路としての第２流路２１を、閉塞部３４を開放することにより流通可能として、空気室１８の空気を中空パイプ１４ａ内の発泡流路２３に向けて加圧、排出する。発泡流路２３に向けて排出された内容液と空気は、合流空間としての混合室１９において混合されると共に、混合室１９の下流側に設けられた泡生成部材２２を通過して発泡した後に、ピストンヘッド１４の吐出口１４ｃから泡状に吐出される。
【００２３】
一方、ピストンヘッド１４の押圧を解除すれば、スプリング部材３２の付勢力によってピストンヘッド１４が上方に押し上げられ、筒状ピストン部材２４及びエアピストン部材２５も同時に押し上げられると共に、ボール弁２０ａが下方に移動することにより第１流路２０を閉塞して、内容液の排出が遮断される。ボール弁２０ａの閉塞によって、筒状ピストン部材２４の内部の液室３３が負圧になるので、ポペット弁３５が上方に移動することにより導入流路が開放されて、容器本体１１内の内容液が吸引管３６及び液導入室１７を介して液室３３に吸引供給される。また、エアピストン部材２５の上昇により、空気室１８が負圧になって吸引力を生じる。この吸引力によって、エアピストン部材２５に設けられた逆止弁３７が開放されて、外気がガイドステム２９とピストンヘッド１４の中空パイプ部１４ａとの隙間を経由して空気室２４に取り込まれる。さらに、ピストンヘッド１４の上昇、及びこれに伴う筒状ピストン部材２４とエアピストン部材２５の上昇により、閉塞部３４が閉塞されて、第２流路２１を介した空気の流通が遮断される。なお、閉塞部３４は、本願出願人の出願に係る特願２００９−７８１４９に記載の泡吐出器の閉塞部と同様の構成を備える。
【００２４】
そして、本実施形態では、泡吐出器１３は、ポンプ装置２７の空気室１８の底部周縁部１８ａを容器本体１１の口首部１２の上方に配置すると共に、空気室１８の外周面１８ｂを口首部１２の外周面１２ｂに沿った上方に配置して、空気室１８の全体を口首部１２の外側に設けた状態で、口首部１２の上方に一体として取り付けられる。
【００２５】
すなわち、本実施形態では、空気室１８は、液導入室２８を底部中央部分から下方に延設させた略有底円筒形状を有しており、その外径が口首部１２の外径と同様の、例えば２０〜８０ｍｍ程度の外径となっている。また空気室１８の下部の外周面１８ｂには、雄ネジ部１８ｃが形成されている。したがって、容器本体１１の口首部１２に、これらの外径と同様の内径を有する、内周面に雌ネジ部２６ｃが形成された接合スリーブ部材２６の下半部分を螺合装着した後に、接合スリーブ部材２６の上半部分に空気室１８の下部を螺合装着することにより、泡吐出器１３は、空気室１８の外周面１８ｂの下端、すなわち空気室１８の底部周縁部１８ａが口首部１２の上縁に接するように配置される。このように空気室１８の外周面１８ｂを口首部１２の外周面１２ｂの上方に配置し、空気室１８の全体を口首部１２の外側に設けた状態で、泡吐出器１３が接合スリーブ部材２６を介して容器本体１１の口首部１２に一体として固定される。
【００２６】
ここで、本実施形態では、空気室１８は、その底部から天面ベース部２８までの高さが例えば３５〜５０ｍｍ程度の高さとなっていて、例えば２０〜８０ｃｃ程度の大きな容積を備えている。これによって、従来のポンプフォーマーと比較して、１回のピストンヘッド１４の押し込み操作によって、より大きな容量の空気を混合室１９に送り出したり、より大きな容量の空気を貯留したりすることができるようになっている。
【００２７】
そして、上述の構成を有する本実施形態の泡吐出容器１０によれば、シリンダ部１６の空気室１８の容積を増やした場合でも、口首部１２の口径が過大にならないようにして、容器本体１１の大きさや樹脂量を抑制できると共に、容器１０を把持した際の取り扱い易さを向上させることが可能になる。
【００２８】
すなわち、本実施形態によれば、泡吐出器１３は、空気室１８の底部周縁部１８ａを容器本体１１の口首部１２の上方に配置すると共に、空気室１８の外周面１８ｂを口首部１２の外周面１２ｂに沿った上方に配置して、空気室１８を口首部１２の外側に設けた状態で、口首部１２に一体として取り付けられているので、従来のポンプフォーマー容器のように、ベースキャップ部を介して空気室を口首部の内側に吊り下げた状態で配置する必要がない。したがって、空気室１８の外径を大きくして容積を増やした場合でも、口首部１２の内径を多くする必要がなくなるので、容器本体１１の大きさや樹脂量を効果的に抑制することが可能になる。容器本体１１のサイズを小さく設計することも可能になる。
【００２９】
また、口首部１２や容器本体１１を把持し易いスリムな形状に形成することができるので、容器１０の取り扱いを容易にして、例えば試験管を振るように左右に軽く振ったり、上下に激しく振ったり、或いは略正立状態から倒立ないし横倒し状態とし、再度略正立状態に戻す操作を繰り返す方法などによって、容器本体１１の内部で第１剤と第２剤とを混合する際や、泡吐出容器１０を把持した状態で泡吐出器１３のピストンヘッド１４を押し込む際の操作性を、効果的に向上させることが可能になる。空気室１８の部分を把持してこれらの操作を行わせるようにしても良い。
【００３０】
なお、本発明は上記実施形態に限定されることなく種々の変更が可能である。例えば、泡状にして吐出される内容液は、第１剤と第２剤とを混合して得られる毛髪染毛用又は毛髪脱色用の混合液である必要は必ずしもなく、１剤式の内容液や、染毛や脱色に用いるもの以外のその他の種々の泡状にして用いる内容液であっても良い。
【符号の説明】
【００３１】
１０  泡吐出容器
１１  容器本体
１２  口首部
１２ｂ  外周面
１２ｃ  雄ネジ部
１３  泡吐出器
１４  ピストンヘッド
１４ａ  中空パイプ部
１５  ピストン部
１６  シリンダ部
１７  液導入室
１８  空気室
１８ａ  底部周縁部
１８ｂ  外周面
１８ｃ  雄ネジ部
１９  混合室
２０  第１流路
２１  第２流路
２２  泡生成部材
２３  発泡流路
２４  筒状ピストン部材
２５  エアピストン部材
２６  接合スリーブ部材
２７  ポンプ装置
２８  天面ベース部
【図１】
0005646975.tif 000002
【図２】
0005646975.tif 000003